(57)【特許請求の範囲】
【請求項１】
支持台と、前記支持台に支持され開閉可能に構成される葉体と、前記葉体に装着されハエ模型の接触を感知する複数のセンサと、を有し、
前記葉体が、２個の羽根体と各羽根体に装着する開閉手段とを有し、
前記開閉手段が、支持台に装着された駆動手段によって回動駆動され、
前記駆動手段が、ソレノイドと前記ソレノイドに連結する押圧手段とを有し、
前記羽根体が、前記押圧手段によって支持され、
前記ハエ模型が、少なくとも２個のセンサに接触することにより、前記ソレノイドのコイルを励磁させて前記押圧手段を移動させ、前記押圧手段が、前記羽根体を押圧して、前記葉体が閉じるように構成されることを特徴とする食虫植物用模型。
【請求項２】
前記開閉手段が、前記支持台側部に装着される固定部と、前記支持台を中心に回動するように装着される可動部と、を有する、蝶番であることを特徴とする請求項１記載の食虫植物用模型。
【請求項３】
支持台と、前記支持台に支持され開閉可能に構成される葉体と、前記葉体に装着されハエ模型の接触を感知する複数のセンサと、を有し、
前記葉体が、２個の羽根体と各羽根体に装着する開閉手段とを有し、
前記開閉手段が前記支持台に装着された駆動手段によって回動駆動されるとともに、前記支持台に固着される線状体支持部材と、前記線状体支持部材内の長手方向に形成された二つの通し孔と、前記通し孔を挿通する２本の線状体と、を有し、
前記駆動手段は、ソレノイドと前記ソレノイドに連結する押圧手段とを有し、
それぞれの前記線状体は、それぞれ一方の端部が前記各羽根体に固着され、他方の端部が前記駆動手段に連結され、２本の前記線状体においてお互いに離れる方向に屈折され前記押圧手段に支持される前部屈折部と、２本の前記線状体においてお互いに離れる方向に円弧を描くように屈折され、前記羽根体に装着される後部屈折部と、を有し、
前記押圧手段には、前記線状体の前記前部屈折部が嵌入する溝部が形成され、前記ハエ模型が少なくとも２個のセンサに接触することにより、前記ソレノイドのコイルを励磁させて前記押圧手段を移動させ、
前記押圧手段が、前記線状体の前記前部屈折部を前記線状体支持部材の各通し孔の軸心上に対して回転させるように前記前部屈折部を押圧し、前記線状体の前記前部屈折部の回転とともに前記後部屈折部を回転させて前記後部屈折部に装着された前記羽根体を回転させ前記葉体が閉じるように構成されることを特徴とする食虫植物用模型。
【発明の詳細な説明】
【０００１】
【発明の属する技術分野】
この発明は、食虫植物用模型に関する。
【０００２】
【従来の技術】
近年、食虫植物を容器にいれて培養するとともに鑑賞する試みが為されている。食虫植物は、昆虫や小動物を捕らえて食虫作用をする植物で、例えば、ハエトリグサやコモウセンゴケまたはミミカキグサ等が知られている。これらの食虫植物は、水湿地や池沼または水田に生え、触糸を有して昆虫を捕らえると消化してその養分の一部を吸収する。例えば、ハエトリグサの場合、葉の先端が軍配状に広がり葉の外周縁部には複数のとげ部があり、中脈を中央にして両側から葉を畳むようにして閉じることができる。葉の両側には３本の触糸があり、昆虫が触糸に触れるとその刺激で葉を閉じ、閉じた時に葉の両側にある外周縁部のとげ部がお互いに重なり合って蓋をするようになるので昆虫を捕らえることができる。
【０００３】
この食虫植物を家庭内で培養する際、密封された容器に収納して数か月間鑑賞しながら部屋の中に置いておく。植物が成長すると容器から取り出し鉢植えを行なって外でさらに育成をすることになる。
【０００４】
【発明が解決しようとする課題】
しかし、家庭内で食虫植物を培養して鑑賞することは、まだ一般的に普及しているわけではなく、今後大いに普及活動をしなければならない。そのために、食虫植物の模型を製作して、食虫植物を身近に感じさせる必要があった。
【０００５】
この発明は、上述の課題を解決するものであり、家庭内における食虫植物の培養及び鑑賞を普及させるために食虫植物の模型を提供することを目的とする。
【０００６】
【課題を解決するための手段】
この発明にかかわる食虫植物用模型では、上記の課題を解決するため以下のように構成するものである。すなわち、
支持台と、前記支持台に支持され開閉可能に構成される葉体と、前記葉体に装着されハエ模型の接触を感知する複数のセンサと、を有し、
前記葉体が、２個の羽根体と各羽根体に装着する開閉手段と、を有し、
前記開閉手段が、支持台に装着された駆動手段によって回動駆動され、
前記駆動手段が、ソレノイドと前記ソレノイドに連結する押圧手段とを有し、
前記羽根体が、前記押圧手段によって支持され、
前記ハエ模型が、少なくとも２個のセンサに接触することにより、前記ソレノイドのコイルを励磁させて前記押圧手段を移動させ、前記押圧手段が、前記羽根体を押圧して、前記葉体が閉じるように構成されることを特徴とするものである。
【００１０】
また、この模型は前記開閉手段が、前記支持台側部に装着される固定部と、前記支持台を中心に回動するように装着される可動部と、を有する、蝶番であることが望ましい。
【００１１】
また、支持台と、前記支持台に支持され開閉可能に構成される葉体と、前記葉体に装着されハエ模型の接触を感知する複数のセンサと、を有し、
前記葉体が、２個の羽根体と各羽根体に装着する開閉手段とを有し、
前記開閉手段が前記支持台に装着された駆動手段によって回動駆動されるとともに、前記支持台に固着される線状体支持部材と、前記線状体支持部材内の長手方向に形成された二つの通し孔と、前記通し孔を挿通する２本の線状体と、を有し、
前記駆動手段は、ソレノイドと前記ソレノイドに連結する押圧手段とを有し、
それぞれの前記線状体は、それぞれ一方の端部が前記各羽根体に固着され、他方の端部が前記駆動手段に連結され、２本の前記線状体においてお互いに離れる方向に屈折され前記押圧手段に支持される前部屈折部と、２本の前記線状体においてお互いに離れる方向に円弧を描くように屈折され、前記羽根体に装着される後部屈折部と、を有し、
前記押圧手段には、前記線状体の前記前部屈折部が嵌入する溝部が形成され、前記ハエ模型が少なくとも２個のセンサに接触することにより、前記ソレノイドのコイルを励磁させて前記押圧手段を移動させ、
前記押圧手段が、前記線状体の前記前部屈折部を前記線状体支持部材の各通し孔の軸心上に対して回転させるように前記前部屈折部を押圧し、前記線状体の前記前部屈折部の回転とともに前記後部屈折部を回転させて前記後部屈折部に装着された前記羽根体を回転させ前記葉体が閉じるように構成されるものであってもよい。
【００１２】
【発明の実施の形態】
以下、この発明の一実施の形態を図面に基づいて説明する。
【００１３】
本形態の食虫植物用模型は、食虫植物の作用を説明するために実際の食虫植物と略同様の動きを身近にわかりやすく示すために提供するものであり、以下の説明にあたっては、主にハエトリグサの模型に関して説明する。
【００１４】
ハエトリグサ模型１は、図１〜２に示すように、長尺状に形成されたベース部３及びベース部３上に装着され屈折された平板状のアーム部４とを備えた支持台２と、アーム部４に固着されてアーム部４の両側にそれぞれ対向するように各２個づつ装着された蝶番５と、ベース部３に固着されて蝶番５を開閉可能に駆動するソレノイド１０と、蝶番５に装着される可動葉体７及びアーム部４に装着される固定葉体８と、を有して構成される。
【００１５】
支持台２のアーム部４は平板状に形成され、厚み方向を前面側（図１中、左側）に向けて一端をベース部３に固着するとともに側面視斜め上後方に向かってく字状を描くように形成されている。さらにアーム部４の後方側（図１中、右側）に取り付けられる蝶番５は、固定部５１をアーム部４側部に取り付け、可動部５２をアーム部４を中心に外側に回動するように装着される。各蝶番５の可動部５２上面にはそれぞれ可動葉体７の羽根体７１を取り付け、各蝶番５の可動部５２下面は、ソレノイド１０に接続された押圧部材１６（図２参照）に支持される。また、アーム部４の前方には、アーム部４の正面側に固着された固定葉体８が取り付けられる。
【００１６】
蝶番は市販のものを容易に手に入れることができるため、廉価にしかも容易に取り付けることができる。なお、可動葉体７に取り付ける蝶番５の数は上記に限定するものではなく、アーム部４の側面に各１個づつでもよく、また多数個でもよい。
【００１７】
ソレノイド１０は、固定鉄心１１と可動鉄心１２とを有し、可動鉄心１２がコイル１３の励磁により固定鉄心１１側に吸着移動する一般に公知の構成であればよく、固定鉄心１１を上方に向けてベース部３に装着する。可動鉄心１２の上方に取り付けられたピン１５は固定鉄心１１を貫通して先端に正面視コ字形に形成された押圧部材１６を装着している。また、ソレノイド１０は、先端の押圧部材１６の中心位置が対向して配置される２個の蝶番５の中心位置になるとともに、前後方向に配置される蝶番５の可動部５２を同時に押圧できる位置にベース部３に取り付けられる。もちろん２個のソレノイドで対向して配置される蝶番をそれぞれ駆動するように構成してもよい。
【００１８】
可動葉体７は、２枚の羽根体７１から構成され各羽根体７１がアーム部４を挟んで装着された蝶番５の可動部５２にそれぞれ取り付けられる。各羽根体７１はハエトリグサと略同様の形状に形成されるため、外周部には複数の突起状のとげ部７２が設けられている。また、各羽根体７１には３個のセンサ９が装着されていて図３〜５に示すハエ模型２０が接触することによって感知する。３個のセンサ９のうち、真ん中の１個のセンサ９Ｂは、可動葉体７の中央寄り、つまりアーム部４側に位置され、他の２個のセンサ９Ａは可動葉体７の外縁側に真ん中のセンサ９Ｂを挟んで上下に各１個づつ装着されている。なお、各センサ９の位置は特に限定するものではない。
【００１９】
センサ９は、ハエ模型２０が接触することによって感知するタッチセンサでもよく、またハエ模型２０が近づくと感知する近接スイッチ、あるいはハエ模型２０が通過することによって感知する光センサでもよい。そして、３個のセンサ９のうち、ハエ模型２０が２個のセンサ９Ａ（または９Ｂ）に接触あるいは近づくことによって、ソレノイド１０が作動して可動葉体７を閉じるように作用される。
【００２０】
ハエ模型２０はハエの形をした模型に長尺状の操作棒２１を取り付けて構成し、人の手によってハエ模型２０をハエトリグサ模型１の可動葉体７中のセンサ９に近づける。
【００２１】
次に、上記のように構成されたハエトリグサ模型１の作用を図３〜５に基づいて説明する。
【００２２】
通常においては、ハエトリグサ模型１の可動葉体７は、図３に示すように、開いた状態にある。この際、可動葉体７の羽根体７１は図２に示すように、それぞれソレノイド１０の先端に装着された押圧部材１６に支持されている。ハエ模型２０を手で操作して可動葉体７内に移動させる。ハエ模型２０を一方の羽根体７１のセンサ９、例えば、外縁部側に装着されたセンサ９Ａに接触させた状態では可動葉体７はまだ開いた状態で保持されている。次に、図４に示すように、ハエ模型２０を中央側のセンサ９Ｂに接触させると、２個のセンサ９を感知したということで、即座にソレノイド１０のコイル１３を励磁させ、可動鉄心１２を固定鉄心１１に吸着移動させてピン１５を上方に移動する。ピン１５の移動にともない、図２の二点鎖線で示すように、押圧部材１６を上方に移動することによって押圧部材１６に支持された蝶番５の可動部５２が軸支部を中心に内方に向かって回転する。つまり、可動葉体７は、図５に示すように、内部にハエ模型２０を収納した状態でアーム部４を中心にして閉じることになる。可動葉体７が閉じた状態では、各羽根体７１の外縁部に形成されるとげ部７２が交互に重なり合ってハエ模型２０を封じ込めることができる。
【００２３】
ハエトリグサ模型は上記に限らず別の形態も考えられる。例えば、図６〜９に示すハエトリグサ模型３１は、可動葉体７に装着して可動葉体７を開閉させるものが線状体で構成される。
【００２４】
このハエトリグサ模型３１は、ベース部３３とベース部３３から斜め後方へ立設するアーム部３４とを有する支持台３２と、アーム部３４上に固着される線状体支持部材３５と、線状体支持部材３５内を挿通する２本の線状体３６と、各線状体３６の先端部に装着される前述と同様の可動葉体７と、線状体支持部材３６上に固着される前述と同様の固定葉体８と、線状体３６の他端に連結され線状体３６を回動するソレノイド４０及び押圧部材４６と、を有して構成される。
【００２５】
支持台３２のアーム部３４は前述の形態と同様に平板状に形成され、厚み方向を前面側に向けて一端をベース部３３に固着するとともに後方に向かって斜め上方に屈折するように形成されている。アーム部３４の前面には、図９に示すように、丸状部材の上面と下面を平面状に切り欠いた線状体支持部材３５を介して、固定葉体８が取り付けられている。線状体支持部材３５には長手方向に、アーム部３４の両側面より外側に位置するように２個の通し孔３５ａが形成され、通し孔３５ａにそれぞれ線状体３６が挿通される。
【００２６】
通し孔３５ａを挿通する各線状体３６は、例えばピアノ線で形成され、図６に示すように、線状体支持部材３５の入口手前で下方に延設されるとともに、図７に示すように、下端部から２個の線状体３６が離れる方向に屈折され、屈折した前部屈折部３６ａが押圧部材４６に支持される。また、線状体支持部材３５の出口から突出する各線状体３６は、出口後方から下向きに僅かに屈折するとともに後方端部側では、図７に示すように、２個の線状体３６が離れる方向に円弧を描くように屈折され、円弧状に屈折した後部屈折部３６ｂの上面に可動葉体７の各羽根体７１が取り付けられる。羽根体７１の裏面に線状体を装着することは、線状体自体が羽根体７１への取り付け面積を小さくできるので、可動葉体７の見映えをよくすることができる。
【００２７】
ソレノイド４０は、前述のように固定鉄心４１と可動鉄心４２とを有し、可動鉄心４２がコイル４３の励磁により固定鉄心４１側に吸着移動するものであり、ベース３３の長手方向にピン４５が移動するように横向きに装着される。可動鉄心４２の先端に取り付けられたピン４５は固定鉄心４１を貫通して先端に図８に示すような平面視コ字形に形成された押圧部材４６を装着している。押圧部材４６には、前述の線状体３６の前部屈折部３６ａが嵌入する溝部４６ａが形成され、ソレノイド４０の駆動により押圧部材４６がピン４５を介して前方に移動すると、線状体３６の前部屈折部３６ａを線状体支持部材３５の各通し孔３５ａの軸心上（以下、回転支持部３５ｂという）に対して回転させるように前部屈折部３６ａを押圧する。線状体３６の前部屈折部３６ａの回転とともに後部屈折部３６ｂを回転して後部屈折部３６ｂに取り付けた羽根体７１を回転させる。
【００２８】
各羽根体７１には前述と同様に３個のセンサ９が取り付けられているので、操作棒２１で３個のセンサ９のうち、いずれか２個のセンサ９にハエ模型２０を接触させてソレノイド４０を駆動させる。図６及び図８に示すように、ソレノイド４０への通電により、コイル４３を励磁させると可動鉄心４２が固定鉄心４１に吸着移動されピン４５及び押圧部材４６を前方に移動する。押圧部材４６が溝部４６ａに嵌入された線状体３６の前部屈折部３６ａを押圧して、前部屈折部３６ａを回転支持部３６ｃを中心に回転することによって後部屈折部３６ｂが回転して可動葉体７を閉じることになり、可動葉体７中に入り込んだハエ模型２０を捕らえることになる。
【００２９】
なお、可動葉体７に装着して可動葉体７を開閉する手段は上記の蝶番あるいは線状体に限るものではない。また、ソレノイドの代わりにエアーまたは油圧式のシリンダ等で可動葉体７を開閉させることも可能である。
【００３０】
また、食虫植物用模型は、ハエトリグサに限らず他の食虫植物を対象にして模型化することは、請求項１の範囲内において可能である。
【００３１】
【発明の効果】
本発明の食虫植物用模型は、支持台と、前記支持台に支持され開閉可能に構成される葉体と、前記葉体に装着されハエ模型の接触を感知する複数のセンサと、を有し、前記ハエ模型が少なくとも２個のセンサに接触することにより、前記葉体が閉じるように構成される。この発明は、特にハエトリグサを対象にした食虫植物用模型であり、実際のハエトリグサと同様の作用を行うので、ハエトリグサを身近に感じることができ、ハエトリグサの家庭内での育成及び鑑賞の普及を行うことができる。
【００３３】
本発明の食虫植物用模型は、前記葉体が、２枚の羽根体と各羽根体に装着する開閉手段とを有し、前記開閉手段が支持台に装着された駆動手段によって回動駆動されるので、実際のハエトリグサの作用を模型で説明することができる。
【００３４】
本発明の食虫植物用模型は、前記駆動手段が、ソレノイドと前記ソレノイドに連結する押圧手段を有しているので、ハエトリグサの葉体を容易に作動することができ、しかも廉価に製作することができる。
【００３５】
本発明の食虫植物用模型は、前記開閉手段が、前記各羽根体に装着する蝶番であるため、市販されている蝶番を装着できるので容易に組み付けでき廉価に製作できる。
【００３６】
本発明の食虫植物用模型は、前記開閉手段が、前記各羽根体に装着する線状体を有している。線状体は葉体に取付ける面積を小さくできるので、取付け後の模型の見映えをよくする。
【図面の簡単な説明】
【図１】本発明の一形態のハエトリグサ模型を示す全体斜視図
【図２】図１の蝶番をソレノイドで駆動する構成を示す断面図
【図３】図１のハエトリグサ模型にハエ模型を侵入させた様子を示す簡略斜視図
【図４】図３におけるハエ模型がセンサを感知する様子を示す簡略斜視図
【図５】図３におけるハエトリグサ模型がハエ模型を捕らえた様子を示す簡略斜視図
【図６】ハエトリグサ模型の別の形態を示す断面図
【図７】図６におけるVII −VII 断面図
【図８】図６におけるＸ矢視図
【図９】図６におけるＹ矢視図
【符号の説明】
１、３１…ハエトリグサ模型
２、３２…支持台
３、３３…ベース部
４、３４…アーム部
５…蝶番（開閉手段）
７…可動葉体
８…固定葉体
９…センサ
１０、４０…ソレノイド
１６、４６…押圧部材
２０…ハエ模型
３５…線状体支持部材
３６…線状体
７１…羽根体
【図１】
0004459331.tif 000002
【図２】
0004459331.tif 000003
【図３】
0004459331.tif 000004
【図４】
0004459331.tif 000005
【図５】
0004459331.tif 000006
【図６】
0004459331.tif 000007
【図７】
0004459331.tif 000008
【図８】
0004459331.tif 000009
【図９】
0004459331.tif 000010